(57)【特許請求の範囲】
【請求項１】
移動ヘッドと、該移動ヘッドを制御回路に接続するための配線パターンを形成したフレキシブル接続部材とを備え、前記移動ヘッドが記録媒体上を移動して該記録媒体上に情報を記録又はその記録媒体に記録されている情報を読み取る再生の少なくとも一方を行なう走査型ヘッドにおいて、
前記フレキシブル接続部材は、両面に形成した配線パターンと、両面の前記配線パターンをつなぐスルーホールを有する両面フレキシブル接続部材であり、該両面フレキシブル接続部材のスルーホール形成領域を前記移動ヘッドの記録媒体側の面に固定し、その一方の側に設けたヘッド側電極で前記移動ヘッドとの接続を行なうと共に、該フレキシブル接続部材を前記移動ヘッドの側面から該移動ヘッドの記録媒体側の面に引き回して固定し、再度前記移動ヘッドの側面側に引き回して他方の側に設けた接続側電極を前記移動ヘッドの前記記録媒体側の面と反対側の面に導出させて前記制御回路に接続したことを特徴とする走査型ヘッド。
【請求項２】
前記スルーホール形成領域を、複数層重なり合うように折り返して前記移動ヘッドの記録媒体側の面に固定したことを特徴とする請求項１記載の走査型ヘッド。
【請求項３】
前記両面フレキシブル接続部材の前記スルーホール形成領域は、２層に折り返されて前記移動ヘッドに固定されていることを特徴とする請求項２記載の走査型ヘッド。
【請求項４】
前記スルーホール形成領域は、その領域内にスルーホールを形成していない領域が一部形成されていて、そのスルーホールが形成されていない領域部分で折り返されていることを特徴とする請求項２又は３記載の走査型ヘッド。
【請求項５】
前記移動ヘッドは、記録媒体に近い側から光学系とシャッタ部材と光源とを順次配設し、前記両面フレキシブル接続部材のヘッド側電極を前記シャッタ部材と光源とに接続すると共に、該両面フレキシブル接続部材を前記移動ヘッドの側面から該移動ヘッドの記録媒体側の面に引き回して前記スルーホール形成領域を複数層に折り返して前記記録媒体側の面に固定し、再度前記移動ヘッドの側面側に引き回して前記接続側電極側を前記移動ヘッドの前記記録媒体側の面と反対側の面側に導出させたことを特徴とする請求項１乃至４のいずれか一項に記載の走査型ヘッド。
【請求項６】
前記両面フレキシブル接続部材のスルーホール形成領域は、前記移動ヘッドに係止されたＵ字状のバネ体によって前記移動ヘッドの前記記録媒体側の面に固定されていることを特徴とする請求項１乃至５のいずれか一項に記載の走査型ヘッド。
【請求項７】
前記記録媒体は感光体であり、前記移動ヘッドは前記感光体に光を当てて該感光体を感光させて画像を形成する光学的記録ヘッドであることを特徴とする請求項１乃至６のいずれか一項に記載の走査型ヘッド。
【請求項８】
前記移動ヘッドは前記光学系と前記シャッタ部材を保持するフレーム体を有し、前記両面フレキシブル接続部材のスルーホール形成領域は、前記移動ヘッドのフレーム体に係止されたＵ字状のバネ体によって前記フレーム体の前記記録媒体側の面に固定されていることを特徴とする請求項５記載の走査型ヘッド。
【請求項９】
前記Ｕ字型のバネ体によって前記フレーム体に係止される蓋体を設け、該蓋体が前記バネ体によって前記フレーム体に係止されることにより前記光源と前記シャッタ部材が前記フレーム体に押圧固定されることを特徴とする請求項８記載の走査型ヘッド。
【発明の詳細な説明】
【０００１】
【発明の属する技術分野】
この発明は、フレキシブル接続部材を介して制御回路に接続された移動ヘッドを、記録媒体上を移動させてその記録媒体に情報を記録、又はその記録媒体に記録されている情報を読み取る再生の少なくとも一方を行なう走査型ヘッドに関する。
【０００２】
【従来の技術】
従来より、フレキシブル接続部材を介して制御回路に接続された移動ヘッドを、ガイド部材に沿って移動させて記録媒体である感光性を有する印画紙上に画像を記録したり、ディスク等の記録媒体に記録されている情報を読み取る再生を行なったりする走査型ヘッドがある。
その一例を示すと、例えば特開平６−２４３６０１号公報には、移動体であるピックアップ本体をディスク面に沿って移動自在に支持し、そのピックアップ本体にフレキシブル接続部材であるフレキシブル配線板の一方の端部を電気的に接続すると共に、そのフレキシブル配線板の中間部を自由状態で湾曲させることによりピックアップ本体を移動自在にした光ピックアップの接続装置が記載されている。
そして、この光ピックアップの接続装置は、フレキシブル配線板の湾曲部位のディスク側への膨らみを抑制する押さえ片を設け、その押さえ片の先端部をディスクと反対方向に傾斜させてピックアップ本体よりも側方に突出させている。
【０００３】
【発明が解決しようとする課題】
しかしながら、この光ピックアップの接続装置は、フレキシブル配線板の湾曲部位のディスク側への膨らみを抑制する押さえ片の先端部をディスクと反対方向に傾斜させているので、そのフレキシブル配線板の湾曲部位のディスク側への膨らみを、先端部に傾斜部を形成しなかった場合に比べて小さくすることはできるが、フレキシブル配線板の長さが長い場合にはその湾曲した部分がピックアップ本体の移動方向に長く延びた状態になるので、それだけ装置全体がピックアップ本体の移動方向に長くなってしまうという問題点があった。
【０００４】
そうかといって、無理に小型化を図って装置のピックアップ本体の移動方向の長さを短くすれば、フレキシブル配線板（フレキシブル接続部材）が装置の壁面等に接触して負荷を受けるようになるので、それによりピックアップ本体の移動に不都合を生じるようになる。
また、そのフレキシブル配線板がディスク等の記録媒体に接触してしまったときには、それがディスクの回転に対して負荷になったりする。さらに、記録媒体が感光性を有する印画紙等の感光体である場合には、その記録媒体の感光面にフレキシブル配線板が接触してしまったときには、その感光面がフレキシブル接続部材により擦られることにより画像の劣化が起きたりもする。
この発明は、上記の問題点に鑑みてなされたものであり、移動ヘッドの移動に対してフレキシブル接続部材が不都合を生じるような負荷を与えたりするようなことなしに、装置全体の小型化が図れるようにすることを目的とする。
【０００５】
【課題を解決するための手段】
この発明は上記の目的を達成するため、移動ヘッドと、その移動ヘッドを制御回路に接続するための配線パターンを形成したフレキシブル接続部材とを備え、上記移動ヘッドが記録媒体上を移動して該記録媒体上に情報を記録又はその記録媒体に記録されている情報を読み取る再生の少なくとも一方を行なう走査型ヘッドにおいて、
上記フレキシブル接続部材は、両面に形成した配線パターンと、両面の上記配線パターンをつなぐスルーホールを有する両面フレキシブル接続部材であり、該両面フレキシブル接続部材のスルーホール形成領域を上記移動ヘッドの記録媒体側の面に固定し、その一方の側に設けたヘッド側電極で上記移動ヘッドとの接続を行なうと共に、該フレキシブル接続部材を上記移動ヘッドの側面からその移動ヘッドの記録媒体側の面に引き回して固定し、再度上記移動ヘッドの側面側に引き回して他方の側に設けた接続側電極を上記移動ヘッドの上記記録媒体側の面と反対側の面に導出させて前記制御回路に接続したものである。
【０００６】
そして、上記スルーホール形成領域を、複数層重なり合うように折り返して前記移動ヘッドの記録媒体側の面に固定するとよい。
上記両面フレキシブル接続部材の上記スルーホール形成領域は、２層に折り返されて上記移動ヘッドに固定されるようにしてもよい。
また、上記スルーホール形成領域は、その領域内にスルーホールを形成していない領域が一部形成されていて、そのスルーホールが形成されていない領域部分で折り返されていてもよい。
上記移動ヘッドは、記録媒体に近い側から光学系とシャッタ部材と光源とを順次配設し、上記両面フレキシブル接続部材のヘッド側電極を上記シャッタ部材と光源とに接続すると共に、その両面フレキシブル接続部材を上記移動ヘッドの側面からその移動ヘッドの記録媒体側の面に引き回して上記スルーホール形成領域を複数層に折り返して上記記録媒体側の面に固定し、再度前記移動ヘッドの側面側に引き回して上記接続側電極側を上記移動ヘッドの上記記録媒体側の面と反対側の面側に導出させることができる。
また、上記両面フレキシブル接続部材のスルーホール形成領域は、上記移動ヘッドに係止されたＵ字状のバネ体によって上記移動ヘッドの上記記録媒体側の面に固定されるようにしてもよい。
上記記録媒体は感光体であり、上記移動ヘッドはその感光体に光を当てて該感光体を感光させて画像を形成する光学的記録ヘッドであるとよい。
上記移動ヘッドは上記光学系と上記シャッタ部材を保持するフレーム体を有し、上記両面フレキシブル接続部材のスルーホール形成領域は、上記移動ヘッドのフレーム体に係止されたＵ字状のバネ体によって上記フレーム体の上記記録媒体側の面に固定されるようにしてもよい。
また、その走査型ヘッドにおいて、上記Ｕ字型のバネ体によって上記フレーム体に係止される蓋体を設け、その蓋体が上記バネ体によって上記フレーム体に係止されることにより上記光源と上記シャッタ部材が上記フレーム体に押圧固定されるようにするとよい。
【０００７】
【発明の実施の形態】
以下、この発明の実施の形態を図面に基づいて説明する。
図１はこの発明の一実施形態例である走査型ヘッドの移動ヘッドをそこに取り付けた両面フレキシブル接続部材と共に示す縦断面図、図２は同じくその両面フレキシブル接続部材のスルーホール部分を断面にして示す拡大断面図、図３はこの発明による走査型ヘッドを装着したプリンタの一例としてフォトプリンタを示す概略構成図、図４は同じくそのフォトプリンタの外観を上蓋を取り除いて示す斜視図である。
図３に示すフォトプリンタは、外ケース１内に走査型ヘッド２と、制御回路を有する制御基板３とを収納し、その外ケース１の下部には図４の矢示Ａ方向に引き出し自在な用紙収納カセット４を設けている。
【０００８】
走査型ヘッド２は、移動ヘッド５と、その移動ヘッド５を図４の矢示Ａ方向に往復移動可能に支持する２本の丸棒状のガイド部材６，６と、詳しい説明は後述するが移動ヘッド５を制御基板３上の制御回路に接続するための多数の配線パターン１８（図５，図６参照）を両面に形成した両面フレキシブル接続部材７とを備えている。その両面の配線パターン１８，１８は、詳しい説明は図２を参照して後述するが、各スルーホール（貫通孔）２２を介してそこに設けた導電体部２３により互いに接続している。
そして、図３に示したように、この移動ヘッド５をガイド部材６，６に沿ってそのガイド部材６，６に対して両面フレキシブル接続部材７と反対側（図３で下側）に位置する記録媒体である印画紙８上を移動させてその印画紙８上に情報となる画像（潜像）を記録する。
【０００９】
移動ヘッド５は、図１に示すように複数の発光ダイオード（ＬＥＤ）９ａ，９ｂ，９ｃからなる光源９と、その光源９から発せられた光の透過量を制御するシャッタ部材である液晶シャッタ１１と、光源９からの光を液晶シャッタ１１の方向に反射により導いて略ライン状に収束させる導光板１４と、その導光板１４を上から押えるクッション１９と、そのクッション１９の上部を覆うヘッド上蓋２１と、液晶シャッタ１１を通過した光を受け入れて用紙収納カセット４内の最上位の印画紙８（共に図３を参照）に結像させる複数のレンズ群からなる屈折率分散型レンズ１３と、その屈折率分散型レンズ１３と液晶シャッタ１１等を保持するフレーム体１２等からなる。
そして、これらの部品は印画紙８に近い側から、光学系を構成する屈折率分散型レンズ１３、液晶シャッタ１１、光源９及び導光板１４、クッション１９、ヘッド上蓋２１の順に順次配置している。
光源９は、赤，緑，青の３色の各発光ダイオード９ａ，９ｂ，９ｃからなり、それによりフルカラーの画像を印画紙８上に書き込むことができるようになっている。
【００１０】
この移動ヘッド５の液晶シャッタ１１と光源９には、両面フレキシブル接続部材７の一方の側の面に設けたヘッド側電極３１（図５に明示）を電気的に接続している。そして、その両面フレキシブル接続部材７を、移動ヘッド５の側面５ａからその移動ヘッド５の印画紙８側の面（下面５ｅ）に引き回して、図５及び図６で後述するスルーホール形成領域Ａｓを複数層（この例では２層）に折り返して印画紙８側の下面５ｅにバネ体２６で固定し、再度移動ヘッド５の側面５ａ側に引き回して他方側の面に設けている接続側電極３２（図６に明示）を移動ヘッド５の印画紙８側の面と反対側の面となる上面側に導出し、その導出された先端部の接続側電極３２（図６）の取り付け端を図３に示した制御基板３上の制御回路に電気的に接続している。
なお、この移動ヘッド５は、この発明では直接関係しないため図示を省略しているが、そこにはプーリ間に回動可能に張装されて移動ヘッド５の移動方向（図３で左右方向）に延びる走査ワイヤの一部が固定されており、そのプーリは図示しない走査モータによって回転されるようになっている。したがって、その走査モータを正逆両方向に適宜回転させることにより、走査ワイヤが所望の方向に回動して移動ヘッド５が図１で左右方向に往復移動する。
【００１１】
液晶シャッタ１１は、移動ヘッド５の図４に示した矢示Ａの移動方向に直交する矢示Ｂ方向に一直線状に配列された複数のエレメントを有する光シャッタであり、これら複数のエレメントを電圧の印加により駆動（逆に電圧の印加停止により駆動するようにしてもよい）して、選択的に光を透過させるものである。
２本のガイド部材６，６は、図４に示したように例えば丸棒状に形成されていて、それらは図７に示すように液晶シャッタ１１の光照射領域１７（便宜上ハッチングを施して図示している）よりも移動ヘッド５の移動方向に対する幅方向でそれぞれ外側に配置されていて、その両端が図４に示した外ケース１にそれぞれ固定されて、互いに平行した状態で矢示Ａ方向に延設されている。
そして、両面フレキシブル接続部材７と移動ヘッド５との接続位置は、上記幅方向で両側のガイド部材６，６より内側に位置している。
なお、ガイド部材６，６は、図４に示したように移動ヘッド５の移動方向（矢示Ａ方向）に対する側方部分に形成している支持部５ｃ，５ｄをそれぞれ移動可能に支持している。
制御基板３には、上述した走査モータを所定のタイミングで駆動したり、光源９の赤，緑，青の３色の各発光ダイオード９ａ，９ｂ，９ｃを選択的に所定のタイミングで点灯させたり、液晶シャッタ１１の複数のエレメントを選択的に駆動させたりするための制御回路が設けられている。
【００１２】
両面フレキシブル接続部材７は、ベースフィルム部分が例えばポリイミドからなる薄板状の湾曲状に容易に変形が可能な樹脂材で形成されていて、図５及び図６に示したように、その両面の所定の位置には導電性材料からなる配線パターン１８を多数形成している。そして、その両面にそれぞれ設けた配線パターン１８を各スルーホール（貫通孔）２２を介して接続し、その一方の側（図１で下面側）の面に設けたヘッド側電極３１で図１に示した移動ヘッド５との電気的な接続を行なうと共に、他方の側の面に設けた接続側電極３２を図３に示した制御基板３上の制御回路に接続する電極としている。
その両面フレキシブル接続部材７に多数形成している各スルーホール２２の部分には、図２にその断面を拡大して示すように、例えば無電解銅メッキにより導電体部２３をそのスルーホール２２の両端面に至るまで形成し、その導電体部２３により両面フレキシブル接続部材７の両面の各配線パターン１８，１８を電気的にそれぞれ接続している。
この両面フレキシブル接続部材７は、その両面の各配線パターン１８，１８と、それらを互いに接続している各導電体部２３のスルーホール２２から露出した部分の全面を覆うように、両面には厚さが極めて薄い絶縁性を有するカバーフィルム２５，２５をそれぞれ接着により密着状態に固定している。
【００１３】
この両面フレキシブル接続部材７は、図５及び図６に示すように、スルーホール形成領域Ａｓの領域内にスルーホール２２を形成していないスルーホール無領域２４を一部直線状に形成しており、そのスルーホール無領域２４の部分で、図１に示したように２層に重なり合うように折り返して、その折り返し部分を移動ヘッド５のフレーム体１２に係止したＵ字状のバネ体２６のバネ力によって、フレーム体１２の印画紙８側の面となる下面５ｅに固定している。
そのバネ体２６は、図９に示すように全体が横から見て略Ｕ字状をした例えば薄い金属製のバネ材からなり、移動ヘッド５のフレーム体１２の下面に接する下部２６ａの幅Ｌ１を、フレーム体１２の同方向の幅と略一致する長さにしている。そして、そのバネ体２６の曲げ部から立ち上がる中間部２６ｂは、フレーム体１２の中央付近のみに位置するように幅Ｌ２の小幅に形成している。
そして、その中間部２６ｂの図９で奥側には、取り出し開口部２７を形成し、その取り出し開口部２７から一端が光源９と液晶シャッタ１１とに接続されている両面フレキシブル接続部材７（図１参照）を移動ヘッド５の外側に引き出せるようにしている。
【００１４】
さらに、そのバネ体２６の中間部２６ｂに続く上部２６ｃは、中間部２６ｂと同一幅に形成されている。
そして、この走査型ヘッド２では、図１０に示すようにＵ字状のバネ体２６によってフレーム体１２に係止される蓋体となるヘッド上蓋２１を設けているが、そのフレーム体１２上に被せたヘッド上蓋２１がバネ体２６の上部２６ｃに加わるバネ力によりフレーム体１２に押し付けられて係止されることにより、光源９及び導光板１４と液晶シャッタ１１がフレーム体１２に押圧固定されるようになっている。
また、このバネ体２６は、そのバネ力によりヘッド上蓋２１をフレーム体１２に抑え付けると同時に、下部２６ａに働くバネ力により両面フレキシブル接続部材７の２層に重なり合うように折り返した部分をフレーム体１２の下面５ｅに抑え付けて固定している。
このように、両面フレキシブル接続部材７のスルーホール形成領域Ａｓは、移動ヘッド５のフレーム体１２の下面５ｅにＵ字状のバネ体２６のバネ力のみ（ネジ止め固定をプラスするようにしても、勿論構わない）により固定されている。
【００１５】
このようにして、両面フレキシブル接続部材７の一端を移動ヘッド５に、他端を図３に示した制御基板３に接続することにより、その両面フレキシブル接続部材７の同図で右方で、且つガイド部材６に対して印画紙８と反対側（ガイド部材６の上側）に、移動ヘッド５の往復移動を許容する湾曲した自由変形部７ａが形成される。
また、この両面フレキシブル接続部材７は、図４に示すように移動ヘッド５の移動方向に対して直交する面となる側面５ａから引き出されて一方のガイド部材６に対応する位置に配設されている。すなわち、両面フレキシブル接続部材７は、移動ヘッド５の移動方向に対して直交する面となる側面５ａから引き出され、且つ図４で右側に位置する一方のガイド部材６に対応する位置まで曲がった図６に示すような変形形状に形成することにより、図３及び図４に示したように下面側７ｂがガイド部材６に当接するようにしている。
印画紙８は、そこに光が照射されるとその光が照射された部分が感光してそこに潜像が形成される感光体であり、上述した移動ヘッド５はその感光体としての印画紙８に光を当ててそれを感光させて画像を形成する光学的記録ヘッドとして機能する。
そして、この移動ヘッド５を内部に収納した外ケース１は、上蓋１５により上部が塞がれる。
【００１６】
このフォトプリンタは、それを使用するときにはプリントする情報を出力する装置、例えばパーソナルコンピュータに接続する。そして、スイッチを入れてプリント可能な状態にする。また、用紙収納カセット４内に印画紙８があることを確認し、なければ補充する。
この状態でプリント指令を出すと、その指令に応じて光源９が発光し、その光が導光板１４により導かれて略一直線の平行光となって液晶シャッタ１１に入射する。ここで、その液晶シャッタ１１は、パーソナルコンピュータ等から出力される情報に応じて制御基板３上の制御回路が出力する液晶シャッタ駆動信号により、一直線状に配列された多数のシャッタエレメントを選択的に動作させて光の光路を開く。それにより、液晶シャッタ１１を透過した光のみが屈折率分散型レンズ１３に入射する。
【００１７】
そして、その光が印画紙８上に屈折率分散型レンズ１３によって焦点が結ばれることにより、そこに潜像が形成される。このようにして１行目の１ラインの画像の書き込みが行なわれると、制御基板３上の制御回路から移動ヘッド５を駆動する走査モータに対してそれを駆動する信号が出力される。
それにより、前述したプーリを介して走査ワイヤが回動されることにより、移動ヘッド５が次の２行目の書き込みが可能な位置まで移動して、同様に１ラインの書き込みが行なわれ、以下図８に示すように最終行、あるいは指令される行まで繰返し書き込みを行なっていく。そして、その全ての書き込みが行なわれた印画紙８は、例えば図示しない排出ローラにより用紙収納カセット４内から排出される。
【００１８】
ところで、例えばカラー画像を形成可能にするため赤，緑，青の３色の各発光ダイオードを有する光源と、その各発光ダイオードからの光を選択的に透過させる液晶シャッタとを備えた移動ヘッドを、制御基板の制御回路にフレキシブル接続部材を介して電気的に接続するようにした走査型ヘッドでは、そのフレキシブル接続部材には上記３色の発光ダイオードを画像情報に対応して所定のタイミングで発光させたり、液晶シャッタが有する多数のシャッタエレメントを選択的に動作させて光の透過量を画像情報に対応させて制御するための多数の配線パターンが必要となる。
そのため、その多数の配線パターンを有効に処理するため、フレキシブル接続部材の表と裏の両面を使用してそこに配線パターンをそれぞれ配置して、その表と裏の配線パターンをフレキシブル接続部材に形成したスルーホールを介してそこに設けた銅等の導電体を使用して接続することが考えられる。その場合、表と裏の配線パターンを接続したスルーホールのある領域は、フレキシブル接続部材であっても撓みにくくなる。
そこで、移動ヘッドのスムーズな移動を可能するためには、フレキシブル接続部材にスルーホール形成領域以外に移動ヘッドのスムーズな移動を許容するだけの長さの柔軟部分を設ける必要があるので、それだけフレキシブル接続部材が長くなる。したがって、この場合には装置全体の移動ヘッドの移動方向の長さが長くなってしまうということがあった。
【００１９】
ここで、もし装置の移動ヘッドの移動方向の長さを長くしなかったとすると、フレキシブル接続部材はそれを収納している部分の壁面等に強く押し当たったりするようになるため、その際に受ける負荷により移動ヘッドの移動がスムーズでなくなったりする。
そこで、これまでの走査型ヘッドを使用した装置では、移動ヘッドの移動方向に長く延びたフレキシブル接続部材を無理なく収納することができるだけのスペースを装置内に設けなければならなかったので、その分だけ装置全体が移動ヘッドの移動方向に大きくなってしまうということがあった。
しかしながら、この実施の形態によるフォトプリンタは、上述したように両面フレキシブル接続部材７を、図１に示したようにスルーホール形成領域Ａｓを２層に重なり合うように折り返して、その折り返し部分を移動ヘッド５の下面５ｅにＵ字状のバネ体２６のみにより固定し、そこから再度移動ヘッド５の側面５ａ側に引き回して接続側電極３２側を移動ヘッド５の上面側に導出して、その先端部の取り付け端を制御基板３（図３）上の制御回路に電気的に接続しているので、図３に示したセット状態における両面フレキシブル接続部材７の移動ヘッド５の移動方向の長さを、両面フレキシブル接続部材７を移動ヘッド５の下面５ｅに固定してから側面５ａ側に引き回して移動ヘッド５の上面側に導出するようにした分だけ短くすることができる。
したがって、その分だけプリンタ全体の移動ヘッド５の移動方向の大きさ（長さ）を短くして、小型化を図ることができる。
【００２０】
なお、この実施の形態では、両面フレキシブル接続部材７をスルーホール形成領域Ａｓで２層に折り返した場合の例について説明したが、そのスルーホール形成領域Ａｓの折り返しは２層に限るものではなく、３層以上の複数層に重なり合うように折り返すようにしてもよい。
以上、この発明による走査型ヘッド２を、印画紙８を露光してそこに潜像を形成するフォトプリンタに適用した場合の例について説明したが、その印画紙８を自己現像処理液付きの印画紙として、その露光後の印画紙を図示しない排出ローラにより装置の外部に排出するようにすれば、その印画紙上には現像された画像を形成することができる。
また、この発明による走査型ヘッドは、フォトプリンタ以外にビデオプリンタにも同様に適用することができる。あるいは、記録媒体を光ディスクとする光ディスク装置等にも適用することができる。
さらに、この発明による走査型ヘッドは、情報を記録媒体に記録するだけでなく、逆に既に情報が記録されている記録媒体から情報を読み取る再生を行なう装置、あるいはその情報の記録と再生の両方を行なう装置にも同様に適用することができる。
【００２１】
【発明の効果】
以上説明したように、この発明による走査型ヘッドによれば、移動ヘッドを制御回路に接続するための両面フレキシブル接続部材を、移動ヘッドの側面からその移動ヘッドの記録媒体側の面に引き回してスルーホール形成領域を記録媒体側の面に固定し、再度移動ヘッドの側面側に引き回して移動ヘッドの記録媒体側の面と反対側の面側に導出させているので、両面フレキシブル接続部材を移動ヘッドの側面から直接その移動ヘッドの記録媒体側の面と反対側の面側に導出させた場合に比べて、その両面フレキシブル接続部材の移動ヘッドの移動方向の長さを短くすることができる。
したがって、その分だけ装置全体の移動ヘッドの移動方向の長さを短くして、小型化を図るようにしても、移動ヘッドの移動に対してフレキシブル接続部材が支障を来すような負荷を与えることがないので、移動ヘッドをスムーズに移動させることができる。
【００２２】
また、両面フレキシブル接続部材のスルーホール形成領域のフレーム体への固定にＵ字状のバネ体を使用すれば、そのバネ体はＵ字状をしているため、そのバネ力のみによって挾み込むようにして両面フレキシブル接続部材のスルーホール形成領域をフレーム体に押し付けて固定することができるので、ネジ止めや接着等を行う必要がないため簡単且つ容易に両面フレキシブル接続部材を移動ヘッドに固定することができる。
さらに、そのＵ字状のバネ体によってフレーム体に係止される蓋体を設け、その蓋体が上記バネ体によって上記フレーム体に係止されることにより光源とシャッタ部材がフレーム体に押圧固定されるようにすれば、蓋体のフレーム体への固定をバネ体のみにより行なって、ネジ等による固定を行なわなくてすむ分だけ組付け行程の手間が省ける。
【図面の簡単な説明】
【図１】この発明による走査型ヘッドの移動ヘッドをそこに取り付けた両面フレキシブル接続部材と共に示す縦断面図である。
【図２】同じくその両面フレキシブル接続部材のスルーホール部分を断面にして示す拡大断面図である。
【図３】この発明による走査型ヘッドを装着したプリンタの一例としてフォトプリンタを示す概略構成図である。
【図４】同じくそのフォトプリンタの外観を上蓋を取り除いて示す斜視図である。
【図５】図１の両面フレキシブル接続部材のヘッド側電極部分を示す平面図である。
【図６】同じくその両面フレキシブル接続部材の接続側電極部分を示す平面図である。
【図７】図３の走査型ヘッドに設けられているフレキシブル接続部材が一方のガイド部材に対応する位置まで曲がった変形形状をしていることを説明するための平面図である。
【図８】同じくその走査型ヘッドの移動ヘッドが最終行まで移動した状態を示す図３と同様な概略構成図である。
【図９】両面フレキシブル接続部材のスルーホール形成領域を移動ヘッドに固定するＵ字状のバネ体を示す斜視図である。
【図１０】同じくそのバネ体によって移動ヘッドのフレーム体にヘッド上蓋がバネ力のみにより固定されている様子を示す縦断面図である。
【符号の説明】
２：走査型ヘッド          ３：制御基板
５：移動ヘッド            ５ａ：側面
５ｅ：下面
７：両面フレキシブル接続部材
８：印画紙（記録媒体）
９：光源                  １１：液晶シャッタ
１２：フレーム体          １３：屈折率分散型レンズ
１８：配線パターン        ２１：ヘッド上蓋（蓋体）
２２：スルーホール        ２６：バネ体
３１：ヘッド側電極        ３２：接続側電極
【図１】
0004275878.tif 000002
【図２】
0004275878.tif 000003
【図３】
0004275878.tif 000004
【図４】
0004275878.tif 000005
【図５】
0004275878.tif 000006
【図６】
0004275878.tif 000007
【図７】
0004275878.tif 000008
【図８】
0004275878.tif 000009
【図９】
0004275878.tif 000010
【図１０】
0004275878.tif 000011